(57)【要約】      （修正有）【課題】強度が十分あり、取付け操作が簡単で、さらには安価である剣先を提供する。【解決手段】内部に内筒体１５を垂下させる四角錐筒体の上剣先１１と、前記上剣先の下部開口１６と嵌合し下部開口を閉じ、案内筒を起立させる下剣先１２とよりなる剣先において、前記内筒体の内壁中間部に内向きストッパー１７を突設し、内筒体の内壁の内向きストッパーより下方を六角穴に刻設し、六角ボルト１３の頭部１９を内向きストッパーに当接させ、ボルトの軸部２０を延出させて下剣先外まで突出させ、ボルト軸部両側で頭部の首下に２個の平行状のピン１４を内筒体に貫設した支持穴に保持させてボルトを突出状に設けた剣先とした。【選択図】図５
0003116080.tif 000002
【実用新案登録請求の範囲】
【請求項１】
内部に内筒体を垂下させる四角錐筒体の上剣先と、前記上剣先の下部開口と嵌合し下部開口を閉じ、案内筒を起立させる下剣先とよりなる剣先において、前記内筒体の内壁中間部に内向きストッパーを突設し、内筒体の内壁の内向きストッパーより下方を六角穴に刻設し、六角ボルトの頭部を内向きストッパーに当接させ、ボルトの軸部を延出させて下剣先外まで突出させ、ボルト軸部両側で頭部の首下に２個の平行状のピンを内筒体に貫設した支持孔に保持させてボルトを突出状に設けた剣先。
【考案の詳細な説明】
【技術分野】
【０００１】
本考案は、フェンス、門扉、短柵あるいは面格子等の上部に設ける防犯機能と装飾性を有する剣先に関するものである。
【背景技術】
【０００２】
従来の剣先は、図７に示すように、金属板１０１に起立状に設けた鋳物製の剣先１０２が、例えば面格子の水平状の上枠１０３にボルト１０４により螺締されていた。
【特許文献１】特開２００３−１８４３５４
【考案の開示】
【考案が解決しようとする課題】
【０００３】
従来の剣先に対し、強度が十分あり、取付け操作が簡単で、さらには安価であることが求められていた。
【課題を解決するための手段】
【０００４】
本考案は、強度が十分あり、取付け操作が簡単で、より一層安価な剣先を提供すべく、内部に内筒体を垂下させる四角錐筒体の上剣先と、前記上剣先の下部開口と嵌合し下部開口を閉じ、案内筒を起立させる下剣先とよりなる剣先において、前記内筒体の内壁中間部に内向きストッパーを突設し、内筒体の内壁の内向きストッパーより下方を六角穴に刻設し、六角ボルトの頭部を内向きストッパーに当接させ、ボルトの軸部を延出させて下剣先外まで突出させ、ボルト軸部両側で頭部の首下に２個の平行状のピンを内筒体に貫設した支持穴に保持させてボルトを突出状に設けた剣先とした。
【考案の効果】
【０００５】
本考案は、内部に内筒体を垂下させる四角錐筒体の上剣先と、前記上剣先の下部開口と嵌合し下部開口を閉じ、案内筒を起立させる下剣先とよりなる剣先において、前記内筒体の内壁中間部に内向きストッパーを突設し、内筒体の内壁の内向きストッパーより下方を六角穴に刻設し、六角ボルトの頭部を内向きストッパーに当接させ、ボルトの軸部を延出させて下剣先外まで突出させ、ボルト軸部両側で頭部の首下に２個の平行状のピンを内筒体に貫設した支持穴に保持させてボルトを突出状に設けた剣先であるので、剣先として十分な強度があり、取付け操作が簡単で、その上安価に提供できる。
【考案を実施するための最良の形態】
【０００６】
本考案を、添付する図面に示す具体的な実施例に基づいて、以下詳細に説明する。
【０００７】
図１はフェンス１の格子２の上端に本考案の剣先３を設けた例であり、図２は門扉４の格子２の上端に本考案の剣先３を設けた例であり、図３は短柵５の格子２の上端に本考案の剣先３を設けた例であり、図４は面格子６の格子２の上端に本考案の剣先３を設けた例である。
【０００８】
図５に剣先３の詳細と、格子２への取付けの詳細を示す。
【０００９】
剣先３は、合成樹脂製上剣先１１と、上剣先１１の下部開口を覆う合成樹脂製下剣先１２と、下剣先１２に取付けられ軸部を下剣先１２外まで突出させるボルト１３と、ボルト１３を保持するピン１４とよりなる。
【００１０】
上剣先１１は、内部に内筒体１５を垂下させ、この内筒体１５は下部開口１６より突出させる。内筒体１５の内壁中間部に内向きストッパー１７を突設し、内筒体１５の内向きストッパー１７より下方を、ボルト１３を挿入可能にするため、六角穴に刻設する。
【００１１】
下剣先１２は、前記上剣先１１の下部開口１６を閉じ、円筒状の案内筒１８を起立させる。下剣先１２は、上剣先１１の下部開口１６に嵌着できるように、円筒状の上向き突起１０を突設し、この上向き突起１０を下部開口１６に内嵌めする。下剣先１２の中央部より下方は円筒状に形成する。案内筒１８の上部は内筒体１５の下部に挿入可能に形成する。
【００１２】
ボルト１３の取付けは、図６に示すように、まず、上剣先１１の内筒体１５の下部にボルト１３の頭部１９を挿入する。頭部１９が図５に示すように、内向きストッパー１７に当接するまで挿入する。ボルト１３の頭部１９の外周は六角形状であるが、内筒体１５の内向きストッパー１７より下部は、六角穴に刻設してあるので、この六角穴はボルト１３の回り止めの役目を果たす。
【００１３】
内筒体１５には、ボルト１３の軸部２０両側で頭部１９を内向きストッパー１７に当接させた状態を保持させる頭部１９の首下の位置に、平行状の２個のピン１４を支持する支持孔２２を貫設する。
【００１４】
ボルト１３の頭部１９を内向きストッパー１７に当接させた後に、２個のピン１４をそれぞれ支持孔２２に挿入してボルト１３を保持する。ここで使用するピン１４はロールピンが好ましい。
【００１５】
続いて、下剣先１２の案内筒１８に、ボルト１３の軸部２０を挿入させ、軸部２０を下剣先１２外に突出させ、下剣先１２の上向き突起１０を上剣先１１の下部開口１６に内嵌めする。
【００１６】
次に、上記のようにして組立てられた剣先３を格子２の上端への取付けを説明する。
【００１７】
突出したボルト１３の軸部２０を、格子キャップ２１の挿通孔２８に通してナット２３で螺締する。
【００１８】
続いて、格子キャップ２１を取付けたボルト１３の軸部２０をアンカー２４の挿通孔２５に通してナット２６で螺締する。
【００１９】
この格子キャップ２１とアンカー２４とを格子２上端に嵌め、アンカー２４と格子２とをリベット２７で固着する。
【００２０】
本考案は、上記のようにしてなるもので、剣先として十分な強度があり、取付け操作が簡単で、その上安価に提供できる。
【００２１】
「実施例１」
剣先の全長が１７５ｍｍで、突出したボルトの軸部が４０ｍｍである。
【産業上の利用可能性】
【００２２】
本考案の剣先は、フェンス、門扉、短柵のみならず塀等の遮蔽物に使用でき、遮蔽物の上部のみならず側部、下部にも用いることができる。
【図面の簡単な説明】
【００２３】
【図１】本考案の剣先をフェンスの格子の上端に設けた例の正面図である。
【図２】本考案の剣先を門扉の格子の上端に設けた例の正面図である。
【図３】本考案の剣先を短柵の格子の上端に設けた例の正面図である。
【図４】本考案の剣先を面格子の格子の上端に設けた例の正面図である。
【図５】本考案の剣先を格子の上端に取付けた要部を断面した正面図である。
【図６】本考案の剣先のボルトを上剣先への取付けを説明する要部を断面した正面図と模式的斜視図との２面図である。
【図７】従来の剣先の斜視図である。
【符号の説明】
【００２４】
１５…内筒体
１１…上剣先
１６…下部開口
１８…案内筒
１２…下剣先
１７…内向きストッパー
１３…六角ボルト
１９…頭部
２０…軸部
１４…ピン
２２…支持孔
【図１】
0003116080.tif 000003
【図２】
0003116080.tif 000004
【図３】
0003116080.tif 000005
【図４】
0003116080.tif 000006
【図５】
0003116080.tif 000007
【図６】
0003116080.tif 000008
【図７】
0003116080.tif 000009